(57)【要約】【課題】従来のタイルよりも下地コンクリートのひずみに、より追従するタイルを提供すること。【解決手段】  コンクリート部材表面に配設される、外形が方形のタイルであって、前記コンクリート部材に対する取付面の、一方の幅方向の略中央に他方の幅方向に形成された第１の蟻溝と、前記第１の蟻溝と同方向に前記第１の蟻溝の底部に形成された少なくとも一つの第２の蟻溝と、を備えたことを特徴とする。【選択図】図１
2008127917.tif 000002
【特許請求の範囲】
【請求項１】
コンクリート部材表面に配設される、外形が方形のタイルであって、
前記コンクリート部材に対する取付面の、一方の幅方向の略中央に他方の幅方向に形成された第１の蟻溝と、
前記第１の蟻溝と同方向に前記第１の蟻溝の底部に形成された少なくとも一つの第２の蟻溝と、
を備えたことを特徴とするタイル。
【請求項２】
前記タイルはその外形が正方形であり、
前記第１の蟻溝は前記タイルの前記一方の幅方向の略中央に一つ形成されていることを特徴とする請求項１に記載のタイル。
【請求項３】
前記タイルはその外形が長方形であり、
前記第１の蟻溝は前記タイルの小口方向の略中央でかつ長手方向に一つ形成されていることを特徴とする請求項１に記載のタイル。
【請求項４】
コンクリート部材表面に配設される、外形が長方形のタイルであって、
前記コンクリート部材に対する取付面に小口方向に形成された複数の第１の蟻溝と、
前記第１の蟻溝と同方向に、各々の前記第１の蟻溝の底部の略中央に形成された第２の蟻溝とを備え、
前記第１の蟻溝は、
前記タイルを、その長手方向に当該第１の蟻溝の数と同じ数だけ略均等に仮想的に分割した各分割領域の略中央部に、小口方向に形成されたことを特徴とするタイル。
【発明の詳細な説明】
【技術分野】
【０００１】
本発明はコンクリート部材の表面に配設されるタイルに関する。
【背景技術】
【０００２】
建築物のコンクリート柱やコンクリート壁にタイルを配設する場合、タイルの剥離、剥落が安全上の最大の課題であり、従来より、様々な方法が採られている。例えば、図７（ａ）及び（ｂ）に示すように、タイルの取付面に略同形状の蟻足形断面を有する複数の蟻溝（以下単に蟻溝と称する）を設け、この蟻溝に張付けモルタルやコンクリートを入り込ませることによりタイルとコンクリートとを物理的に嵌合させ接着性を高める方法がある。また、非特許文献１では、タイルの側面にテーパを設け、目地部を楔型に形成することで、下地コンクリートのひずみにより追従させ、タイルを剥離、剥落しにくくする方法が挙げられている。
【０００３】
特にタイルを型枠側に取り付け、コンクリートを打設することによって配設する工法は、タイル先付け、又はタイル打込みと呼ばれている。この工法でタイルが張付けられたＰＣａ部材は、白華が発生しにくい、仕上精度がよい、剥離、剥落が極めて少ないことから、タイル張りの優れた工法として認識され、広く実施されている。
【０００４】
一方、近年では、マンション等の高層建築物の超高層化により、現場打ち、ＰＣａ部材にかかわらず、ＲＣ柱に使用されるコンクリートの設計基準強度も年々高くなり、１５０Ｎ／ｍｍ2の超高強度コンクリートも実際に施工されるようになってきている。非特許文献２では、コンクリート柱が高強度になればなるほど、コンクリート硬化時の収縮、柱軸力による収縮、長期クリープによる収縮、或いは、地震時の収縮を含む様々な方向の変形が大きくなり、タイルが剥離、剥落する割合が高まる畏れがあることが報告されている。なお、非特許文献２では、無筋コンクリート試験体を用いて検討しているので、実際のコンクリート柱（鉄筋コンクリート柱）とは、若干異なる挙動があると推定されるが、タイルの剥離・剥落の破壊形態は、実際の柱と同様と考えられる。
【０００５】
【非特許文献１】「剥離防止性能が高いタイル先付けＰＣ工法の研究」,日本建築学会大会学術講演梗概集，２００６年９月
【非特許文献２】「高強度コンクリート柱へのタイル先付け仕上げのひずみ追従性に関する研究」,コンクリート工学年次論文報告集，２００６年，ｖｏｌ２８，Ｎｏ１，ｐｐ．４５５〜４６０
【発明の開示】
【発明が解決しようとする課題】
【０００６】
非特許文献２には、圧縮強度が相対的に低いコンクリート試験体では、タイルとの接合界面部分(図７（ｂ）で破線ｄ１で示す、蟻溝の入口部分)においてコンクリートがせん断破壊し、また、圧縮強度が相対的に高い超高強度コンクリート試験体では、タイルの裏足（タイル裏面のうち、蟻溝の形成により残った残余部分）、特に裏足基部（図７（ｂ）で破線ｄ０で示す、蟻溝の底部と同一平面上に位置する部分）がせん断破壊し、タイルが剥離した実験例が記載されている。
【０００７】
この記載を詳細に見ると、コンクリート強度が１５０Ｎ／ｍｍ2になると、従来のタイルの剥離は、図７（ｂ）に示した、タイル端部の裏足基部ｄ０から生じ、さらに各個撃破的に中央側に破壊が進んで、図７（ｂ）に示した接合界面部分ｄ１の破壊、最後には全ての裏足基部がせん断破壊することも記載されている。
【０００８】
この現象は、タイルが、その蟻溝を水平方向として柱に配設された場合に顕著に表れる。蟻溝を水平方向としてタイルが柱に配設された場合には、タイル側で最大の応力が発生する部位は裏足基部、それも上下方向端部であり、一方コンクリート側では蟻溝の入口部分の接合界面部分にあることが理解される。
【０００９】
蟻溝を形成したことで形成された裏足基部、特にタイルの両端部の裏足基部には、垂直方向のせん断力と面外方向の引張力及び曲げ力が作用する。この裏足基部は周囲より幅が狭く、各種の応力が集中しやすい。コンクリート強度が高くなれば、次第にタイル側の応力がより集中する部分、すなわち裏足基部、それもタイルの両端部側の裏足基部が破壊しやすくなる。
【００１０】
非特許文献２の結果よると、同文献においてＦ９０シリーズと称されている試験体では、他のシリーズの試験体と異なり、２０００μの最大ひずみで明確な剥離が生じなかったことから、Ｆ９０シリーズの試験体のコンクリート強度程度で、タイル側とコンクリート側で発生する応力が各々の破壊強度に対する割合がほぼ等しくなることが推定される。すなわち、設計基準強度１００Ｎ／ｍｍ2以上のコンクリートにタイルを先付けする場合には、下地コンクリートひずみにより追従するタイルを使用することが好ましいと言える。
【００１１】
ところで、設計基準強度が５０Ｎ／ｍｍ2のコンクリートを用いたタイル先付けＰＣａ柱としては５年程度経過したものが実在するが、タイルの剥離、剥落は現時点では報告されていない。これは、タイルとの接合界面付近のコンクリートのクリープ変形で応力緩和されている可能性が高いと考えられ、今後も剥離・剥落する可能性は低いと考えられる。より高強度の、圧縮強度が１５０Ｎ／ｍｍ2クラスのコンクリートの場合でも、同様にクリープで応力緩和され、タイルの裏足が破断する可能性は低いと考えられる。しかしながら、より高軸力をかける場合等、設計の自由度を高め、更なる安全性を確保するためには、より下地コンクリートのひずみに追従するタイルを採用することが望ましい。なお、タイル先付けＰＣａ柱の場合には、コンクリートの硬化時の収縮もタイルを収縮させること、現場で打設した高強度コンクリートに後張りする場合には、このコンクリートの硬化に伴う収縮の影響はなくなるものの接着強度が先付けに比べて低いかつ部分的に接着不良箇所が発生しやすいこと等の問題があり、何れの場合でも下地コンクリートひずみにより追従するタイルを使用することが好ましいと言える。
【００１２】
従って、本発明の目的は、従来のタイルよりも下地コンクリートのひずみに、より追従するタイルを提供することにある。
【課題を解決するための手段】
【００１３】
本発明によれば、コンクリート部材表面に配設される、外形が方形のタイルであって、前記コンクリート部材に対する取付面の、一方の幅方向の略中央に他方の幅方向に一つ形成された第１の蟻溝と、前記第１の蟻溝と同方向に前記第１の蟻溝の底部に形成された少なくとも一つの第２の蟻溝と、を備えたことを特徴とするタイルが提供される。ここで、蟻溝とはその底部及び両側部を裏面と平行に結んだ最大の幅が蟻溝の入口の幅よりも広いものを言う。すなわち、一般的に湿式法及び乾式法と称される製法で製造される外壁用タイルの蟻溝形状は本発明の蟻溝に含まれる。
【００１４】
この構成によれば、前記第１の蟻溝を、前記取付面の、一方の幅方向の略中央に他方の幅方向に形成したので、コンクリートが高強度化した場合であっても、タイル側で最も破壊しやすい裏足の幅、特に裏足基部の幅を従来のものより広くすることができ、下地コンクリートのひずみ発生時に発生する応力を、より広い面積で負担し、分散することができるので、より大きなひずみに耐えることができる。一方、前記第１の蟻溝の底部には前記第２の蟻溝を形成したので、蟻溝を下地コンクリートが大きく収縮する方向と直角方向にタイルを配した場合には、タイル中央部が薄くなっているので曲がりやすく、タイル上下端部に発生する応力を低下するように働く。またタイル中央部でタイルとコンクリートが物理的に嵌合するので接着の安定性が高まる。よって、従来のタイルよりも下地コンクリートのひずみに、より追従するタイルを提供することができる。
【００１５】
反対に蟻溝を下地コンクリートが大きく収縮する方向と平行にタイルを配した場合には、蟻足基部の幅が従来のタイルに比べて広くすることができるので、下地コンクリートのひずみ発生時に発生する応力をより広い面積で負担し、分散することができるので、より大きなひずみに耐えることができる。よって、従来のタイルよりも下地コンクリートのひずみに、より追従するタイルを提供することができる。
【００１６】
また、タイルのように窯業製品は、微視的にも巨視的にも不均一な材料であり、同一製品内の中でも部分的に強度が異なっている。その原因は製造時の内部ひずみや成分の不均一性等が考えられる。コンクリートも窯業製品と同様に不均一な材料であり、強度的にも部分的なバラツキを有している。
【００１７】
従って、本発明のように、発生する応力を広い面積で負担し、分散することは、タイルに内在する微視的な欠陥による局所破壊からの破壊伝搬という現象も抑制することができる。
【００１８】
本発明においては、前記タイルはその外形が正方形であり、前記第１の蟻溝は前記タイルの前記一方の幅方向の略中央に一つ形成されていてもよい。この構成によれば、前記第１の蟻溝が前記タイルの前記一方の幅方向の略中央に一つ形成されるため、前記タイルの裏足基部の幅をより大きくとれ、当該裏足基部のせん断破壊を防止できる。
【００１９】
本発明において、前記タイルはその外形が長方形であり、前記第１の蟻溝は前記タイルの小口方向の略中央でかつ長手方向に一つ形成されていてもよい。この構成によれば、前記第１の蟻溝が前記タイル小口方向中央に一つ形成されるため、前記タイルの裏足基部の幅をより大きくとれ、当該裏足基部のせん断破壊を防止できる。
【００２０】
また、本発明によれば、コンクリート部材表面に配設される、外形が長方形のタイルであって、前記コンクリート部材に対する取付面に小口方向に形成された複数の第１の蟻溝と、前記第１の蟻溝と同方向に、各々の前記第１の蟻溝の底部の略中央に形成された第２の蟻溝とを備え、前記第１の蟻溝は、前記タイルを、その長手方向に当該第１の蟻溝の数と同じ数だけ略均等に仮想的に分割した各分割領域の略中央部に、小口方向に形成されたことを特徴とするタイルが提供される。
【００２１】
この構成によれば、前記タイルの小口方向に前記第１及び第２の蟻溝が形成されるため、裏足基部の幅を大きく取り、かつ面外方向への変形を物理的に拘束する蟻溝の数を増加させることができる。この構成によるタイルは、特に前記蟻溝の長手方向を水平方向に向けて前記タイルをコンクリート部材に配設した場合に、下地コンクリートのひずみに対する追従性を向上させることができる。
【発明の効果】
【００２２】
以上述べた通り、本発明によれば、従来のタイルよりも下地コンクリートのひずみに、より追従することができ、タイルがより剥離しにくくなる。
【発明を実施するための最良の形態】
【００２３】
＜第１実施形態＞
図１は、本発明の一実施形態に係るタイル１０の外観斜視図、図２及び図３はタイル１０の６面図であり、図２（ａ）はタイル１０の正面図、図２（ｂ）はタイル１０の左側面図、図２（ｃ）はタイル１０の右側面図、図２（ｄ）はタイル１０の上面図、図２（ｅ）はタイル１０の下面図、図３はタイル１０の背面図である。
【００２４】
タイル１０は、その外形が方形をなしており、本実施形態の場合、特に５０二丁と呼ばれる４５ｍｍ×９５ｍｍの長方形をなすタイルであり、コンクリート部材に対する取付面（裏面）となる取付面１１と、コンクリート部材に対する取り付け時に表面として露出する表面１２と、側面１３乃至１６と、の６面を有する。
【００２５】
なお、本実施形態では５０二丁のタイルを例示しているが、本発明はこれに限定されるものではなく、例えば、５０三丁タイルや、４５角と呼ばれる４５ｍｍ×４５ｍｍの外形が正方形のタイルにも適用可能である。また、タイル１０の角部には適宜面取りを施すことができる。
【００２６】
表面１２は、コンクリート部材の外観を形成する意匠面であり、本実施形態では平坦面としているが、建物のコンセプトに応じて、凹凸形状や光沢の有無等を自由に選択できる。
【００２７】
タイル１０の取付面１１には、蟻溝１７、１８が形成されている。図２（ｂ）に示すように、蟻溝１７、１８はいずれも、その底部１７ａ、１８ａの幅ｄ１１、ｄ２１（断面の幅）が入口の幅ｄ１２、ｄ２２よりも広くなっており、断面形状は略台形をなしている。蟻溝１８は蟻溝１７の底部１７ａに形成されており、かつ、蟻溝１７と同方向に形成されている。なお、蟻溝１７、１８の出隅、入隅には適宜面取りを施すことができる。
【００２８】
本実施形態の場合、蟻溝１７はタイル１０の一方の幅方向（小口方向）の略中央に他方の幅方向（長手方向）に形成されている。このため、タイル１０側で最も破壊しやすい裏足１１ａの幅、特に裏足基部の幅を従来のものより広くすることができ、下地コンクリートのひずみ発生時に発生する応力を、より広い面積で負担し、分散することができるので、より大きなひずみに耐えることができる。また、タイル１０の材料が不均一であることに起因して、局部的に脆弱な部分が存在しても応力レベルが従来の場合より低くなることから、局部的に脆弱な部分から破壊が進行しにくくなる。
【００２９】
一方、蟻溝１７の底部には蟻溝１８を形成したので、タイル中央部でタイルとコンクリートが物理的に嵌合するので接着の安定性が高まる。よって、タイル１０の下地コンクリートへの追従性を向上させることができる。
【００３０】
本実施形態の場合、蟻溝１７は一つだけ形成されている。蟻溝１７は複数形成することもできるが、幅方向（小口方向）の略中央に一つ形成することで、タイル１０の裏足１１ａの裏足基部の幅を更に大きくとれ、裏足基部でのせん断破壊を防止できる。また、取付面１１における蟻溝１７の形成面積が同一である場合を想定すると、蟻溝１７を複数形成する場合と比べて、一つのみ形成した場合には蟻溝１７が幅広となるので、コンクリートの充填性も向上し、充填不良の生じた脆弱部からタイルやコンクリートの破壊が始まることを抑制することができる。なお、蟻溝１７は、その底部１７ａの幅（断面の幅）を、例えば、取付面１１の小口方向の幅の半分から１／３程度の幅にすることが望ましい。
【００３１】
また、本実施形態の場合、蟻溝１８は蟻溝１７の底部１７ａの幅方向（小口方向）の中央に一つ形成されている。蟻溝１７及び１８がタイル１０の幅方向中央に形成されることから、タイル１０の幅方向中央部分においてタイル１０が面外方向に突出しようとする変形を生じようとした場合でも効果的にかつ安定的に拘束することができる。なお、蟻溝１８は、底部１８ａの幅（断面の幅）を、例えば、底部１７ａの小口方向の幅の半分から１／３程度の幅にすることが望ましい。また、蟻溝１８は蟻溝１７の底部１７ａを幅方向（小口方向）に３等分するように二つ形成することもでき、少なくとも一つ形成すればよい。
【００３２】
タイル１０の製法には特に限定はないが、例えば、粉状の原料を高圧のプレス機で成形する方法（乾式製法）が挙げられる。乾式製法で製造することにより、土練機で原料を混練し、押し出し成形する方法（湿式製法）と比べて、薄く、寸法精度の高い製品を得ることができる。
【００３３】
次に、タイル１０のコンクリート部材への適用例について説明する。ここでは、コンクリート部材として、ＰＣａ部材とした鉄筋コンクリート柱への適用例について説明する。鉄筋コンクリート柱をＰＣａ部材とする場合、タイル１０は例えばタイル先付け工法により、ＰＣａ部材のコンクリートの打設と同時にＰＣａ部材の表面に配設することができる。
【００３４】
鉄筋コンクリート柱へタイル１０を配設する場合、蟻溝１７、１８を鉄筋コンクリート柱の軸方向と同一方向に設ける場合と、直交する方向に設ける場合とがあり得る。図４は、タイル１０の蟻溝１７、１８を鉄筋コンクリート柱の軸方向と同一方向に設けた場合の応力状態を説明するための模式図であり、鉄筋コンクリート柱の表層部分の断面を示す。また、図５は、タイル１０の蟻溝１７、１８を鉄筋コンクリート柱の軸方向と直交する方向に設けた場合の応力状態を説明するための模式図であり、鉄筋コンクリート柱の表層部分の断面を示す。
【００３５】
図４及び図５において、矢印Ｘ、Ｙはタイル１０が受ける応力の向きを示している。矢印Ｘはタイル１０と鉄筋コンクリート柱との間の剪断力、矢印Ｙはタイル１０を曲げながら押し出そうとする面外方向の応力である。
【００３６】
特に、剪断力は何れの配設状態でもタイル１０の上下端部（鉄筋コンクリート柱の軸方向の両端部）で相対的に大きく、中央部で相対的に小さくなる。このため、タイル１０の上下端部には大きな剪断力が作用する。また、面外方向に突出させようとする応力も作用する。よって、タイル１０の上下端部には最大のせん断応力が発生する。タイル１０の上下端部が破断すると、次に中央部側に応力が集中して蟻溝１７の入口部分の下地コンクリートとの接合界面部分や蟻溝１７に入り込んだコンクリート等が破断し、タイル１０が全面的に剥離しやすくなる。
【００３７】
図４の例の場合、蟻溝１７及び１８が、鉄筋コンクリート柱の軸方向に沿うように配設されており、矢印Ｘで示す剪断力を、蟻溝１７及び１８に入り込んだ下地コンクリートと裏足１１ａの長手方向の長さ分で負担して抵抗するため、図５の例よりもタイル１０の破断が生じ難いにくい傾向がある。よって、より大きな剪断力、すなわちより大きな下地コンクリートのひずみに耐えることができる。
【００３８】
一方、図５の例の場合、矢印Ｘで示す剪断力の大部分を、裏足１１ａの裏足基部の小口方向の長さ分で負担することになる。上述した通り、剪断力は配設状態でのタイル１０の上下端部で相対的に大きく、中央部で相対的に小さくなるので、図４の例の場合よりもタイル１０の破断は生じ易い傾向がある。
【００３９】
しかし、本実施形態のタイル１０は、上述した通り、蟻溝１７（及び１８）をタイル１０の小口方向の略中央に、しかも一つだけ形成しており、複数形成した場合よりも、タイル１０の裏足１１ａの幅をより大きくしている。このため、蟻溝を複数設けた従来のタイルと比べると、タイル１０の上下端部、つまり、裏足１１ａの裏足基部が、より大きな剪断力に対して抵抗することができ、かつタイル１０の中央部（蟻溝１８の底部１８ａ）が相対的に周辺より薄くなっているので、タイル１０自体が突出する曲げ変形を生じやすく、タイル１０に作用するせん断応力を緩和することも期待できることもあり、タイル１０の下地コンクリートのひずみ追従性が高められる。
【００４０】
更に、タイル１０の幅方向（小口方向）の略中央に蟻溝１７及び１８を一つだけ設けているので、蟻溝を複数形成した場合よりも、蟻溝の幅をより大きくでき、蟻溝１７及び１８に入り込んだ下地コンクリートの幅も大きくなるだけでなく、タイル１０の材料が不均一であることに起因して、ある確率で存在する脆弱部の影響も受けにくくなる。このため、蟻溝を複数設けた従来のタイルと比べると、タイル１０の中央部、つまり、蟻溝１７及び１８に入り込んだ下地コンクリートが、より大きな面外方向の引張力に対して抵抗することができ、タイル１０の下地コンクリートのひずみ追従性が高められる。
【００４１】
＜第２実施形態＞
図６（ａ）乃至（ｆ）は本発明の他の実施形態に係るタイル１００の６面図である。タイル１００は、その外形が長方形をなしており、タイル１０と同様に、５０二丁と呼ばれる４５ｍｍ×９５ｍｍの長方形をなすタイルである。勿論、５０三丁タイルのように寸法が異なる他の長方形タイルにも本発明は適用可能である。また、タイル１００の角部には適宜面取りを施すことができる。
【００４２】
タイル１００は、コンクリート部材に対する取付面（裏面）となる取付面１０１と、コンクリート部材に対する取り付け時に表面として露出する表面１０２と、側面１０３乃至１０６と、の６面を有する。表面１０２は、コンクリート部材の外観を形成する意匠面であり、本実施形態では平坦面としているが、建物のコンセプトに応じて、凹凸形状や光沢の有無等を自由に選択できる。
【００４３】
タイル１００の取付面１１には、小口方向に２本の蟻溝１０７、１０８が形成されている。蟻溝１０７、１０８は、上記の蟻溝１７、１８と同様に、いずれも、その底部１０７ａ、１０８ａの幅（断面の幅）が入口の幅よりも広くなっており、断面形状は略台形をなしている。蟻溝１０８は蟻溝１０７の底部１０７ａに形成されており、かつ、蟻溝１０７と同方向に形成されている。なお、蟻溝１０７、１０８の出隅、入隅には適宜面取りを施すことができる。
【００４４】
本実施形態の場合、蟻溝１０７は、タイル１００を、その長手方向に蟻溝１０７の数と同じ数だけ略均等に仮想的に分割した各分割領域の略中央部に、小口方向に形成する。本実施形態の場合、蟻溝１０７の数は２つである。従って、図６（ａ）において破線ＣＬで示す、タイル１００の長手方向の中央線を境界として同図の左右に仮想的に２分割した各分割領域の略中央に、各蟻溝１０７が形成されている。蟻溝１０７をこのように形成したことで、タイル１００の取付面１１には、長手方向の両端部に位置する裏足１０１ａと、中央部に位置する裏足１０１ｂと、が形成され、裏足１０１ｂは裏足１０１ａよりも幅広である。
【００４５】
本実施形態の場合、タイル１００の小口方向に蟻溝１０７、１０８が形成されるため、裏足１０１ａ、１０１ｂの裏足基部、特に裏足１０１ａの幅を大きく取り、かつ面外方向への変形を物理的に拘束する蟻溝１０７、１０８の数を増加させることができる。この構成によるタイルは、特に蟻溝１０７の長手方向を水平方向に向けてタイル１００をコンクリート部材に配設した場合に適しており、下地コンクリートのひずみに対する追従性を向上させることができる。
【００４６】
つまり、この配設態様の場合、上記の通り、タイル１００の上下端部にまず応力が集中し、端部が破断すると、次に中央部側に応力が集中してタイル１００の裏足やタイル界面付近のコンクリートの破断を招くことになる。本実施形態の場合、従来のタイルより、裏足の基部を含めた全体の幅も、蟻溝の幅も広くなっているので、タイルやコンクリートを破断しようとする応力が分散するので下地のコンクリートのひずみにより追従し、タイル１００がより剥離し難くすることができる。
【００４７】
なお、蟻溝１０７の数は３以上でもよく、特に、タイル１００の長手方向の長さが長い場合には、各裏足の幅が相対的に広くなるので、タイル１００の長手方向の長さに応じた数を設けることができる。
【図面の簡単な説明】
【００４８】
【図１】本発明の一実施形態に係るタイル１０の外観斜視図である。
【図２】（ａ）はタイル１０の正面図、（ｂ）はタイル１０の左側面図、（ｃ）はタイル１０の右側面図、（ｄ）はタイル１０の上面図、（ｅ）はタイル１０の下面図である。
【図３】タイル１０の背面図である。
【図４】タイル１０の蟻溝１７、１８を鉄筋コンクリート柱の軸方向と同一方向に設けた様子を説明するための図である。
【図５】タイル１０の蟻溝１７、１８を鉄筋コンクリート柱の軸方向と直交する方向に設けた様子を説明するための図である。
【図６】（ａ）乃至（ｆ）は本発明の他の実施形態に係るタイル１００の６面図であり、（ａ）はタイル１００の正面図、（ｂ）はタイル１００の左側面図、（ｃ）はタイル１００の右側面図、（ｄ）はタイル１００の上面図、（ｅ）はタイル１００の下面図、（ｆ）はタイル１００の背面図である。
【図７】（ａ）は従来のタイルの裏面（取付面）を示す図、（ｂ）は図７（ａ）の線Ａ−Ａに沿う断面図である。
【符号の説明】
【００４９】
１０、１００  タイル
１１、１０１  取付面
１７、１８、１０７、１０８  蟻溝
１７ａ、１８ａ、１０７ａ、１０８ａ  底部
【図１】
2008127917.tif 000003
【図２】
2008127917.tif 000004
【図３】
2008127917.tif 000005
【図４】
2008127917.tif 000006
【図５】
2008127917.tif 000007
【図６】
2008127917.tif 000008
【図７】
2008127917.tif 000009